(57)【要約】【課題】本発明は、従来にない実用的な収納ケースを提供することを目的とする。【解決手段】左右の側面板部材１を介して水平部材２が上下に設けられてこの上下の水平部材２間に引出ケース収納部３が設けられるフレーム本体４と、このフレーム本体４の前記引出ケース収納部３に引き出し自在に設けられる引出ケース５とからなる収納ケースであって、前記側面板部材１における上下端部夫々の前後位置に凸状部６が設けられ、この凸状部６が差し込み嵌合する凹状部７が前記水平部材２における左右端部夫々の前後位置に設けられ、前記凸状部６を前記凹状部７に差し込み嵌合することで、前記側面板部材１の外面部１ａと前記水平部材２の外面部２ａとが面一状態となる前記フレーム本体４が形成されるように構成されたものである。【選択図】図１
2019123533.tif 000002
【特許請求の範囲】
【請求項１】
左右の側面板部材を介して水平部材が上下に設けられてこの上下の水平部材間に引出ケース収納部が設けられるフレーム本体と、このフレーム本体の前記引出ケース収納部に引き出し自在に設けられる引出ケースとからなる収納ケースであって、前記側面板部材における上下端部夫々の前後位置に凸状部が設けられ、この凸状部が差し込み嵌合する凹状部が前記水平部材における左右端部夫々の前後位置に設けられ、前記凸状部を前記凹状部に差し込み嵌合することで、前記側面板部材の外面部と前記水平部材の外面部とが面一状態となる前記フレーム本体が形成されるように構成されており、少なくとも一つの前記凸状部の外面部及びこの凸状部が設けられる前記側面板部材の外面部にスリット部が設けられて押すことで内側へ弾性変形を伴い可動する可動板部が設けられ、前記可動板部には係止部が設けられ、前記凸状部を前記凹状部に差し込み嵌合させた際、前記可動板部が弾性変形して可動した後に復帰動することで前記係止部が抜け止め係合する係合部が前記凹状部に設けられており、前記可動板部を構成する前記側面板部材の外面部を押して該可動板部を内側へ可動させることで、前記係合部に対する前記係止部の係合が解除されるように構成されていることを特徴とする収納ケース。
【請求項２】
前記凸状部の外面部には、対向位置に設けられる第一スリットとこの第一スリットの端部同士間に設けられる第二スリットとから成るコ字状若しくはＵ字状の前記スリット部が設けられ、且つ、このスリット部における前記第一スリットが前記側面板部材の外面部まで延設されることで、弾性変形を伴い可動する前記可動板部が前記凸状部と前記側面板部材とに連続した状態で設けられていることを特徴とする請求項１記載の収納ケース。
【請求項３】
前記凸状部は平断面視コ字状若しくは平断面視筒状であることを特徴とする請求項１，２のいずれか１項に記載の収納ケース。
【請求項４】
前記側面板部材の外面部にして前記可動板部を押す部位には凹部が設けられていることを特徴とする請求項１〜３のいずれか１項に記載の収納ケース。
【請求項５】
前記側面板部材及び前記水平部材は合成樹脂製であることを特徴とする請求項１〜４のいずれか１項に記載の収納ケース。
【発明の詳細な説明】
【技術分野】
【０００１】
本発明は、例えば、衣類等を整理収納するのに便利な収納ケースに関するものである。
【背景技術】
【０００２】
従来から、例えば実用新案登録第３０３７０２０号に開示されるような収納ケース（以下、従来例）が提案されている。
【０００３】
この従来例は、合成樹脂製フレーム本体と、このフレーム本体の収容部に引出し自在にセットされる複数の合成樹脂製引出ケースとからなり、フレーム本体は、水平部材（下部台座，適数の中間台座及び天板）と、これら水平部材を適宜間隔に連結する複数の支柱とからなるものであり、水平部材には、連結筒部が設けられ、支柱の両端部が連結筒部に嵌合されると共に、支柱の両端部に設けた係止突起が、連結筒部に設けた係止孔に係止されるよう構成されている。
【０００４】
従って、従来例は、フレーム本体が複数の分割されたパーツで構成されている為、商品の搬送や倉庫への収納時など、コンパクトな梱包状態が得られる。
【０００５】
ところが、前述したようにフレーム本体は、水平部材とこの水平部材を適宜間隔に連結する支柱で構成されているが、前後の支柱と上下の水平部材との間に形成される側面開口部から埃が入ってしまい、これを嫌がるユーザーも多い。
【０００６】
そこで、本出願人は、特開２００６−１６０３４号に開示される収納ケースを提案しており、フレーム本体は、左右の側面板部材を介して水平部材が上下に設けられてこの上下の水平部材間に引出ケースを引き出し自在に収納する引出ケース収納部が設けられる構成であり、前述した問題点が解消される。
【先行技術文献】
【特許文献】
【０００７】
【特許文献１】実用新案登録第３０３７０２０号公報
【特許文献２】特開２００６−１６０３４号公報
【発明の概要】
【発明が解決しようとする課題】
【０００８】
本発明人は、前述したフレーム本体と引出ケースとから成る収納ケースについて更なる開発を進めた結果、従来にない実用的な収納ケースを開発した。
【課題を解決するための手段】
【０００９】
添付図面を参照して本発明の要旨を説明する。
【００１０】
左右の側面板部材１を介して水平部材２が上下に設けられてこの上下の水平部材２間に引出ケース収納部３が設けられるフレーム本体４と、このフレーム本体４の前記引出ケース収納部３に引き出し自在に設けられる引出ケース５とからなる収納ケースであって、前記側面板部材１における上下端部夫々の前後位置に凸状部６が設けられ、この凸状部６が差し込み嵌合する凹状部７が前記水平部材２における左右端部夫々の前後位置に設けられ、前記凸状部６を前記凹状部７に差し込み嵌合することで、前記側面板部材１の外面部１ａと前記水平部材２の外面部２ａとが面一状態となる前記フレーム本体４が形成されるように構成されており、少なくとも一つの前記凸状部６の外面部６ａ及びこの凸状部６が設けられる前記側面板部材１の外面部１ａにスリット部８が設けられて押すことで内側へ弾性変形を伴い可動する可動板部９が設けられ、前記可動板部９には係止部10が設けられ、前記凸状部６を前記凹状部７に差し込み嵌合させた際、前記可動板部９が弾性変形して可動した後に復帰動することで前記係止部10が抜け止め係合する係合部11が前記凹状部７に設けられており、前記可動板部９を構成する前記側面板部材１の外面部１ａを押して該可動板部９を内側へ可動させることで、前記係合部11に対する前記係止部10の係合が解除されるように構成されていることを特徴とする収納ケースに係るものである。
【００１１】
また、前記凸状部６の外面部６ａには、対向位置に設けられる第一スリット８ａとこの第一スリット８ａの端部同士間に設けられる第二スリット８ｂとから成るコ字状若しくはＵ字状の前記スリット部８が設けられ、且つ、このスリット部８における前記第一スリット８ａが前記側面板部材１の外面部１ａまで延設されることで、弾性変形を伴い可動する前記可動板部９が前記凸状部６と前記側面板部材１とに連続した状態で設けられていることを特徴とする請求項１記載の収納ケースに係るものである。
【００１２】
また、前記凸状部６は平断面視コ字状若しくは平断面視筒状であることを特徴とする請求項１，２のいずれか１項に記載の収納ケースに係るものである。
【００１３】
また、前記側面板部材１の外面部１ａにして前記可動板部９を押す部位には凹部12が設けられていることを特徴とする請求項１〜３のいずれか１項に記載の収納ケースに係るものである。
【００１４】
また、前記側面板部材１及び前記水平部材２は合成樹脂製であることを特徴とする請求項１〜４のいずれか１項に記載の収納ケースに係るものである。
【発明の効果】
【００１５】
本発明は上述のように構成したから、フレーム本体を構成する側面板部材と水平部材との堅固な連結及び分解が極めて簡易且つ迅速に行え、しかも、良好な外観を呈するなど、従来にない商品価値の高い収納ケースとなる。
【図面の簡単な説明】
【００１６】
【図１】本実施例を示す斜視図である。
【図２】本実施例の要部の分解斜視図である。
【図３】本実施例の要部の説明断面図である。
【図４】本実施例の要部の動作説明断面図である。
【図５】本実施例の要部の動作説明断面図である。
【発明を実施するための形態】
【００１７】
好適と考える本発明の実施形態（発明をどのように実施するか）を、図面に基づいて本発明の作用を示して簡単に説明する。
【００１８】
例えば、フレーム本体４を組み立てるべく側面板部材１と水平部材２とを連結する際、側面板部材１における上下端部夫々の前後位置に設けられた凸状部６を、水平部材２における左右端部夫々の前後位置に設けられた凹状部７に差し込み嵌合させる。この際、可動板部９が弾性変形して可動した後に復帰動することで該可動板部９に設けられた係止部10が凹状部７に設けられた係合部11に抜け止め係合する。
【００１９】
また、本発明は、凸状部６を凹状部７に差し込み嵌合することで、側面板部材１の外面部１ａと水平部材２の外面部２ａとが面一状態となるフレーム本体４が形成される。
【００２０】
従って、側面板部材１と水平部材２との堅固な連結が達成され、しかも、側面板部材１と水平部材２との間には必要以上に段差が無いから、スッキリとした良好な外観を呈することになり、また、埃が溜まりにくいことになる。
【００２１】
ところで、例えばフレーム本体４が引出ケース収納部３を複数段備えた構造で、該引出ケース収納部３の段数を変えたい場合など、連結された側面板部材１と水平部材２とを分解したい場合がある。
【００２２】
本発明は、連結された側面板部材１と水平部材２とを分解する際、可動板部９を押して内側に可動させることで係合部11に対する係止部10の係合を解除し、この状態で側面板部材１（凸状部６）を水平部材２（凹状部７）から引き抜いて分解できる。
【００２３】
具体的には、この可動板部９は、少なくとも一つの凸状部６の外面部６ａ及びこの凸状部６が設けられる側面板部材１の外面部１ａにスリット部８が設けられて押すことで内側へ弾性変形を伴い可動するように設けられており、可動板部９には係止部10が設けられ、凸状部６を凹状部７に差し込み嵌合させた際、可動板部９が弾性変形して可動した後に復帰動することで係止部10が抜け止め係合する係合部11が凹状部７に設けられており、可動板部９を構成する側面板部材１の外面部１ａを押して該可動板部９を内側へ可動させることで、係合部11に対する係止部10の係合が解除されるように構成されており、この構成から、以下の作用効果を奏する。
【００２４】
即ち、前述したようにフレーム本体４の側面が側面板部材１で覆われている構造上、例えば、可動板部９がフレーム本体４の内側に設けられる構造とした場合、側面板部材１と水平部材２を分解しよとすると、その都度、フレーム本体４から引出ケース５を引き出し、この状態でフレーム本体４の内側に手を入れて可動板部９を押しながら側面板部材１と水平部材２を分離させなければならず、非常に厄介である。
【００２５】
この点、本発明は、前述した構成から、可動板部９を構成する側面板部材１ｓの外面部１ａを押して該可動板部９を内側へ可動させることで、係合部11に対する係止部10の係合が解除される為、側面板部材１と水平部材２との分解が極めて簡易且つ迅速に行え、しかも、側面板部材１と水平部材２とを連結した状態においては、可動板部９を構成するスリット部８の一部が見えるだけであり、目立たない構造である。
【００２６】
従って、可動板部９をフレーム本体４の外側に設けた構造でありながら、スッキリとした良好な外観を呈することになる。
【実施例】
【００２７】
本発明の具体的な実施例について図面に基づいて説明する。
【００２８】
本実施例は、左右の側面板部材１を介して水平部材２が上下に設けられてこの上下の水平部材２間に引出ケース収納部３が設けられるフレーム本体４と、このフレーム本体４の引出ケース収納部３に引き出し自在に設けられる引出ケース５とからなる収納ケースである。
【００２９】
具体的には、フレーム本体４は、図１に図示したように適宜な合成樹脂製の部材で形成されたものであり、間隙を介して上下に複数（４つ）配される方形状の水平部材２と、この上下の水平部材２の左右側方位置に配される方形状の側面板部材１と、上下の水平部材２の背面側位置に配される方形状の背面板部材（図示省略）とを有し、この水平部材２，側面板部材１及び背面板部材で囲まれた３つの引出ケース収納部３が上下多段に設けられている。このフレーム本体４の各引出ケース収納部３には、合成樹脂製の引出ケース５が引き出し自在に設けられている。
【００３０】
最上段の水平部材２は天板部であり、下段の水平部材２は引出ケース５を支承する底板部であり、最下段の水平部材２の下面四隅にはキャスター13が設けられている。
【００３１】
また、各水平部材２の周端縁部には外面部２ａを有する周壁が垂直状に設けられている。
【００３２】
また、フレーム本体４を構成する側面板部材１における上下端部夫々の前後位置に凸状部６が設けられ、この凸状部６が差し込み嵌合する凹状部７が水平部材２における左右端部夫々の前後位置に設けられ、凸状部６を前記凹状部７に差し込み嵌合することで、側面板部材１の外面部１ａと水平部材２の外面部２ａとが隙間なく面一状態となるフレーム本体４が形成されるように構成されている。
【００３３】
本実施例では、凸状部６は平断面視コ字状であるが、平断面視筒状（四角筒状）でも良い。
【００３４】
また、全ての凸状部６の外面部６ａ及びこの凸状部６が設けられる近傍の側面板部材１の外面部１ａにスリット部８が設けられて押すことで内側へ弾性変形を伴い可動する可動板部９が設けられている。尚、可動板部９は一部の凸状部６に設けるようにしても良く、側面板部材１の上端部及び下端部夫々に一つ以上あることが望ましい。
【００３５】
具体的には、凸状部６の外面部６ａには、対向位置に設けられる第一スリット８ａとこの第一スリット８ａの端部同士間に設けられる第二スリット８ｂとから成るコ字状（若しくはＵ字状）のスリット部８が設けられ、且つ、このスリット部８における第一スリット８ａが側面板部材１の外面部１ａまで延設されることで、弾性変形を伴い可動する可動板部９が、凸状部６の領域と側面板部材１の領域とに一部が位置するように連続した状態（跨った状態）で設けられている。
【００３６】
また、可動板部９には凹状の係止部10が設けられ、凸状部６を凹状部７に差し込み嵌合させた際、可動板部９が弾性変形して可動した後に復帰動することで係止部10が抜け止め係合する凸状の係合部11が凹状部７に設けられており、可動板部９を構成する側面板部材１の外面部１ａを押して該可動板部９を内側へ可動させることで、係合部11に対する係止部10の係合が解除されるように構成されている。尚、係止部10を凸状とし、係合部11を凹状としても良い。
【００３７】
また、側面板部材１の外面部１ａにして可動板部９を押す部位には指当て凹部12が設けられている。
【００３８】
また、側面板部材１の上端部及び下端部には、該側面板部材１の長さ方向に長さを有する凸条１ｂが設けられており、水平部材２の周壁２ｂの内面に添設状態に重合当接するように構成されている。
【００３９】
従って、この凸条１ｂにより側面板部材１のガタツキが防止され、且つ、引出ケース収納部３内への埃の侵入を防止することができる。
【００４０】
また、本実施例では、上下の水平部材２の背面側端部間に配される背面板部材における上下端部夫々の左右位置に凸状部が設けられ、この凸状部が差し込み嵌合する凹状部が水平部材２における平面側端部夫々の左右位置に設けられ、背面板部材の凸状部を水平部材２の凹状部に差し込み嵌合することで、背面板部材の外面部と前記水平部材２の外面部とが面一状態となるように構成し、少なくとも一つの凸状部（実際には全ての凸状部）の外面部及びこの凸状部が設けられる背面板部材の外面部にスリット部が設けられて押すことで内側へ弾性変形を伴い可動する可動板部が設けられ、可動板部には係止部が設けられ、凸状部を凹状部に差し込み嵌合させた際、可動板部が弾性変形して可動した後に復帰動することで係止部が抜け止め係合する係合部が凹状部に設けられており、可動板部を構成する背面板部材の外面部を押して該可動板部を内側へ可動させることで、係合部に対する係止部の係合が解除されるように構成されている。具体的には、前述した側面板部材１と水平部材２との連結構造と同構造である。
【００４１】
本実施例は上述のように構成したから、フレーム本体４を組み立てるべく側面板部材１と水平部材２とを連結する際、側面板部材１における上下端部夫々の前後位置に設けられた凸状部６を、水平部材２における左右端部夫々の前後位置に設けられた凹状部７に差し込み嵌合させる。この際、可動板部９が弾性変形して可動した後に復帰動することで該可動板部９に設けられた係止部10が凹状部７に設けられた係合部11に抜け止め係合する。
【００４２】
また、本発明は、凸状部６を凹状部７に差し込み嵌合することで、側面板部材１の外面部１ａと水平部材２の外面部２ａとが面一状態となるフレーム本体４が形成される。
【００４３】
従って、側面板部材１と水平部材２との堅固な連結が達成され、しかも、側面板部材１と水平部材２との間には必要以上に段差が無いから、スッキリとした良好な外観を呈することになり、また、埃が溜まりにくいことになる。
【００４４】
また、本実施例は、連結された側面板部材１と水平部材２とを分解する際、可動板部９を押して内側に可動させることで係合部11に対する係止部10の係合を解除し、この状態で側面板部材１（凸状部６）を水平部材２（凹状部７）から引き抜いて分解できる。
【００４５】
具体的には、この可動板部９は、少なくとも一つの凸状部６の外面部６ａ及びこの凸状部６が設けられる側面板部材１の外面部１ａにスリット部８が設けられて押すことで内側へ弾性変形を伴い可動するように設けられており、可動板部９には係止部10が設けられ、凸状部６を凹状部７に差し込み嵌合させた際、可動板部９が弾性変形して可動した後に復帰動することで係止部10が抜け止め係合する係合部11が凹状部７に設けられており、可動板部９を構成する側面板部材１の外面部１ａを押して該可動板部９を内側へ可動させることで、係合部11に対する係止部10の係合が解除されるように構成されており、この構成から、以下の作用効果を奏する。
【００４６】
即ち、前述したようにフレーム本体４の側面が側面板部材１で覆われている構造上、例えば、可動板部９がフレーム本体４の内側に設けられる構造とした場合、側面板部材１と水平部材２を分解しよとすると、その都度、フレーム本体４から引出ケース５を引き出し、この状態でフレーム本体４の内側に手を入れて可動板部９を押しながら側面板部材１と水平部材２を分離させなければならず、非常に厄介である。
【００４７】
この点、本実施例は、前述した構成から、可動板部９を構成する側面板部材１ｓの外面部１ａを押して該可動板部９を内側へ可動させることで、係合部11に対する係止部10の係合が解除される為、側面板部材１と水平部材２との分解が極めて簡易且つ迅速に行え、しかも、側面板部材１と水平部材２とを連結した状態においては、可動板部９を構成するスリット部８の一部が見えるだけであり、目立たない構造である。
【００４８】
従って、可動板部９をフレーム本体４の外側に設けた構造でありながら、スッキリとした良好な外観を呈することになる。
【００４９】
また、本実施例は、凸状部６の外面部６ａには、対向位置に設けられる第一スリット８ａとこの第一スリット８ａの端部同士間に設けられる第二スリット８ｂとから成るコ字状（若しくはＵ字）のスリット部８が設けられ、且つ、このスリット部８における第一スリット８ａが側面板部材１の外面部１ａまで延設されることで、弾性変形を伴い可動する可動板部９が凸状部６と側面板部材１とに連続した状態で設けられており、簡易構造にして確実に前述した作用効果を奏することになる。
【００５０】
また、本実施例は、凸状部６は平断面視筒状（若しくは平断面視コ字状）であるから、確実に前述した作用効果を奏することになる。
【００５１】
また、側面板部材１の外面部１ａにして可動板部９を押す部位には指当て凹部12が設けられており、可動板部９の押圧が良好に行え、しかも、可動板部９を押圧するに最適な位置が直ちに分かる事になる。
【００５２】
尚、本発明は、本実施例に限られるものではなく、各構成要件の具体的構成は適宜設計し得るものである。
【符号の説明】
【００５３】
１  側面板部材
１ａ  外面部
２  水平部材
２ａ  外面部
３  引出ケース収納部
４  フレーム本体
５  引出ケース
６  凸状部
６ａ  外面部
７  凹状部
８  スリット部
８ａ  第一スリット
８ｂ  第二スリット
９  可動板部
10  係止部
11  係止部
12  凹部
【図１】
2019123533.tif 000003
【図２】
2019123533.tif 000004
【図３】
2019123533.tif 000005
【図４】
2019123533.tif 000006
【図５】
2019123533.tif 000007